(57)【要約】【課題】利便性を向上できる加湿装置を提供する。【解決手段】隔壁１３により隔離された給水部１１と排水部１２とを有する着脱自在の給水タンク１０と、給水部１１から供給される水を溜めるトレイ５と、トレイ５内の水に一部を浸漬して水を含浸する加湿フィルタ７と、加湿フィルタ７を通過する気流を発生して加湿フィルタ７に含まれた水を気化して送出する送風機８と、トレイ５内の水を排水部１２に回収する回収装置３１とを備えた。【選択図】図１
2008286492.tif 000002
【特許請求の範囲】
【請求項１】
隔離された給水部と排水部とを有する着脱自在の給水タンクと、前記給水部から供給される水を溜めるトレイと、前記トレイ内の水に一部を浸漬して水を含浸する加湿フィルタと、前記加湿フィルタを通過する気流を発生して前記加湿フィルタに含まれた水を気化して送出する送風機と、前記トレイ内の水を前記排水部に回収する回収装置とを備えたことを特徴とする加湿装置。
【請求項２】
前記トレイの水位が所定水位よりも低くなった際に前記回収装置を駆動することを特徴とする請求項１に記載の加湿装置。
【請求項３】
前記給水部の容積を前記排水部の容積よりも大きくしたことを特徴とする請求項１または請求項２に記載の加湿装置。
【請求項４】
前記排水部の水位を検知する排水部水位検知部を設けたことを特徴とする請求項１〜請求項３のいずれかに記載の加湿装置。
【請求項５】
前記排水部が所定水位よりも高い時に前記回収装置の駆動を禁止することを特徴とする請求項４に記載の加湿装置。
【請求項６】
前記給水タンクは前記回収装置との接続により開く第１、第２開閉弁を有し、第１開閉弁の開成によって前記回収装置と前記排水部とが連通するとともに、第２開閉弁の開成によって前記排水部が大気に開放されることを特徴とする請求項１〜請求項５のいずれかに記載の加湿装置。
【発明の詳細な説明】
【技術分野】
【０００１】
本発明は、加湿フィルタに含浸した水を気化して送出する気化式の加湿装置に関する。
【背景技術】
【０００２】
図６は従来の加湿装置の側面断面図を示している。加湿装置１は本体部２の前面に吸込口３が設けられ、上面に吹出口４が設けられる。本体部２の後部には着脱自在の給水タンク１０が配され、本体部２の底部には給水タンク１０から給水されるトレイ５が設けられる。本体部２の前部には吸込口３に対向した加湿フィルタ７が立設される。加湿フィルタ７はトレイ５内の水に底部を浸漬して水を含浸する。吸込口３と加湿フィルタ７との間には送風機８が配される。
【０００３】
送風機８の駆動によって室内の空気が吸込口３から吸い込まれ、加湿フィルタ７を通過して吹出口４から送出される。この時、加湿フィルタ７に含浸された水が気化して吹出口４から送出される空気に含まれる。これにより、室内の加湿が行われる。
【０００４】
【特許文献１】実開平４−１２９０４２号公報（第１頁−第２頁、第１図）
【発明の開示】
【発明が解決しようとする課題】
【０００５】
しかしながら、上記従来の加湿装置１によると、給水タンク１０に供給される水にはカルシウム、マグネシウム等の硬度成分やカリウム、ナトリウム等が含まれている。これらの不純物は加湿フィルタ７で水を気化した際に残渣として残留し、気化される前の水に溶解する。このため、トレイ５内の水は不純物の濃度が徐々に高くなる。加湿装置１を長期間使用して給水タンク１０への給水を繰り返すとトレイ５内の水の不純物が高濃度となり、炭酸カルシウムや炭酸マグネシウム等のスケールとなって析出する。
【０００６】
析出したスケールが加湿フィルタ７に付着すると通気量が減少して加湿性能が低下する。このため、頻繁に加湿フィルタ７を交換する必要があり、加湿装置１の利便性が悪い問題があった。
【０００７】
特許文献１にはトレイ内の水を排水する加湿装置が開示され、不純物の濃度が高くなった水を排水することができる。しかしながら、この加湿装置によると、屋内の排水口まで配管する必要があるため加湿装置の利便性が悪い問題がある。
【０００８】
本発明は、利便性を向上できる加湿装置を提供することを目的とする。
【課題を解決するための手段】
【０００９】
上記目的を達成するために本発明は、隔離された給水部と排水部とを有する着脱自在の給水タンクと、前記給水部から供給される水を溜めるトレイと、前記トレイ内の水に一部を浸漬して水を含浸する加湿フィルタと、前記加湿フィルタを通過する気流を発生して前記加湿フィルタに含まれた水を気化して送出する送風機と、前記トレイ内の水を前記排水部に回収する回収装置とを備えたことを特徴としている。
【００１０】
この構成によると、給水部に給水された給水タンクを装着すると給水部からトレイに給水される。加湿フィルタの例えば底部がトレイ内の水に浸漬され、加湿フィルタに水が含浸される。送風機を駆動すると室内の空気が吸込口から吸い込まれ、加湿フィルタを通過する際に含浸された水を気化して吹出口から送出される。これにより、室内の加湿が行われる。トレイ内の水は所定の時期に回収装置によって給水タンクの排水部に回収され、不純物の濃度の高くなった水が排水される。
【００１１】
また本発明は、上記構成の加湿装置において、前記トレイの水位が所定水位よりも低くなった際に前記回収装置を駆動することを特徴としている。この構成によると、給水部が空になってトレイの水が減少して所定水位よりも低くなると回収装置が駆動され、トレイ内の水が排水部に回収される。
【００１２】
また本発明は、上記構成の加湿装置において、前記給水部の容積を前記排水部の容積よりも大きくしたことを特徴としている。
【００１３】
また本発明は、上記構成の加湿装置において、前記排水部の水位を検知する排水部水位検知部を設けたことを特徴としている。この構成によると、排水部の水位が所定水位よりも高くなると排水部水位検知部で検知して報知等が行われる。
【００１４】
また本発明は、上記構成の加湿装置において、前記排水部の水位が所定水位よりも高い時に前記回収装置の駆動を禁止することを特徴としている。この構成によると、排水部の水位が所定水位よりも高い場合には回収装置は駆動されず、排水部の水位が所定水位よりも低い場合は回収装置によってトレイの水が排水部に回収される。
【００１５】
また本発明は、上記構成の加湿装置において、前記給水タンクは前記回収装置との接続により開く第１、第２開閉弁を有し、第１開閉弁の開成によって前記回収装置と前記排水部とが連通するとともに、第２開閉弁の開成によって前記排水部が大気に開放されることを特徴としている。
【００１６】
この構成によると、給水タンクを取り外すと第１、第２開閉弁が閉じて漏水が防止される。給水タンクを装着すると給水タンクと回収装置とが接続され、第１、第２開閉弁が開かれる。これにより、回収装置は第１開閉弁を介して排水部に連通し、第２開閉弁を介して排水部が大気に開放される。回収装置を駆動すると排水部の空気が第２開閉弁を介して流出してトレイの水が排水部に回収される。
【発明の効果】
【００１７】
本発明によると、トレイ内の水を給水タンクの排水部に回収する回収装置を備えたので、排水用の配管の必要がなく不純物の濃度が高くなった水を回収することができる。これにより、トレイや加湿フィルタに残留する不純物を低減してスケールの析出を低減し、加湿フィルタの交換周期を長くすることができる。従って、加湿装置の利便性を向上することができる。
【００１８】
また本発明によると、トレイの水位が所定水位よりも低くなった際に回収装置を駆動するので、給水部が空になる毎にトレイ内の不純物の濃度が高い水を回収することができる。従って、スケールの析出を確実に低減することができる。また、給水部が空になった給水タンクは脱着して給水されるため、この時に排水部の排水を行うことができる。従って、排水のために給水タンクを別途運搬する必要がなく、加湿装置の利便性をより向上することができる。
【００１９】
また本発明によると、給水部の容積を排水部の容積よりも大きくしたので、トレイに溜まった水を十分回収できるとともに、給水タンクへの給水頻度を減らすことができる。これにより、加湿装置の利便性をより向上することができる。
【００２０】
また本発明によると、排水部の水位を検知する排水部水位検知部を設けたので、排水部が所定水位よりも高い場合に運転停止や報知等を行うことができる。
【００２１】
また本発明によると、排水部の水位が所定水位よりも高い時に回収装置の駆動を禁止するので、回収装置の過負荷による故障を防止することができる。
【００２２】
また本発明によると、給水タンクは回収装置と接続した際に回収装置と排水部とを連通させる第１開閉弁と、排水部を大気に開放する第２開閉弁を有するので、排水部への容易に水を回収することができる。また、運搬時に第１、第２開閉弁が閉じられて給水タンクの漏水を防止することができる。
【発明を実施するための最良の形態】
【００２３】
以下に本発明の実施形態を図面を参照して説明する。説明の便宜上、前述の図６に示す従来例と同一の部分は同一の符号を付している。図１は一実施形態の加湿装置を示す側面断面図である。加湿装置１は本体部２の前面に吸込口３が設けられ、上面に吹出口４が設けられる。
【００２４】
本体部２の前部には吸込口３に対向した加湿フィルタ７が立設される。加湿フィルタ７はトレイ５内の水に底部を浸漬して水を含浸する。加湿装置１は加湿フィルタ７に含浸した水を気化して送出する気化式になっている。吸込口３と加湿フィルタ７との間には送風機８が配される。送風機８は吸込口３から室内の空気を吸い込み、加湿フィルタ７を通過して吹出口４に導く気流を発生する。本体部２の後部には着脱自在の給水タンク１０が配され、本体部２の底部には給水タンク１０から給水されるトレイ５が設けられる。
【００２５】
給水タンク１０は隔壁１３により隔離される給水部１１及び排水部１２を有している。給水部１１の容積は排水部１２の容積よりも大きくなっている。給水部１１の下端には止水弁１０ｃを有した給水キャップ１０ａが螺設され、給水キャップ１０ａを取り外して給水部１１内に市水を給水できるようになっている。排水部１２には排水キャップ１０ｂが螺設され、排水キャップ１０ｂを取り外して排水部１２内の水を排水できるようになっている。排水部１２の側壁上部には詳細を後述するタンク側接続部２０が導出される。
【００２６】
トレイ５の底部には給水キャップ１０ａに対向するリブ５ａが突設される。リブ５ａは給水タンク１０を本体部２に装着した際に止水弁１０ｃを押圧する。これにより、止水弁１０ｃが開いて給水タンク１０の給水部１１からトレイ５に給水される。トレイ５が所定の水位Ｗ０になると水によって給水キャップ１０ａが密閉され、給水が停止される。これにより、トレイ５内が一定の水位Ｗ０に維持される。
【００２７】
トレイ５の背壁にはトレイ５の水位を検知する水位センサ９が設けられる。給水部１１が空になってトレイ５が一定に維持される水位Ｗ０よりも低い所定の水位Ｗ１になると水位センサ９により検知される。これにより、報知を行うとともに後述する回収装置３１が駆動される。
【００２８】
給水タンク１１の前方の本体部２内にはポンプ３２及び回収パイプ３３を備えた回収装置３１が配される。回収パイプ３３は本体部２に設けられる本体側接続部３０に上端が嵌合され、下端がトレイ５の水位Ｗ１よりも下方の底面近傍まで延びて配される。本体側接続部３０には給水タンク１０から導出されるタンク側接続部２０が接続され、ポンプ３２の駆動によってトレイ５内の水が回収パイプ３３を介して排水部１２に導かれる。
【００２９】
排水部１２内にはフロート３４が設けられる。本体部２にはフロート３４と対向した際にオン状態となるスイッチ３５が設けられる。排水部１２が所定の水位になるとフロート３４とスイッチ３５が対向してスイッチ３５がオン状態になる。従って、フロート３４及びスイッチ３５により排水部１２の水位を検知する排水部水位検知部３６が構成されている。
【００３０】
図２はタンク側接続部２０及び本体側接続部３０を示す正面断面図である。また、図３は図２のＡ−Ａ断面図を示している。タンク側接続部２０にはＬ字型の第１、第２通路２０ａ、２０ｂが形成される。第１、第２通路２０ａ、２０ｂ内には同一構成の第１、第２開閉弁２１、２２がそれぞれ設けられる。
【００３１】
第１、第２開閉弁２１、２２は段部２１ｂ、２２ｂによって細く形成された先端部２１ａ、２２ａを下部に有している。第１、第２開閉弁２１、２２は圧縮バネ２３、２４によりそれぞれ下方に付勢される。このため、段部２１ｂ、２２ｂに設けたパッキン２７が第１、第２通路２０ａ、２０ｂの壁面に密着して第１、第２開閉弁２１、２２が閉じられる。これにより、第１、第２通路２０ａ、２０ｂが閉じられ、給水タンク１０の運搬時の漏水を防止することができる。
【００３２】
また、第１、第２通路２０ａ、２０ｂの下部は筒状の突出部２５、２６により形成される。突出部２５、２６の外周にはそれぞれパッキン２８が設けられている。
【００３３】
本体側接続部３０にはタンク側接続部２０の突出部２５、２６がそれぞれ嵌合する嵌合部３１、３２が設けられる。嵌合部３１、３２には突出部２５、２６が嵌合した際に第１、第２開閉弁２１、２２の先端部２１ａ、２２ａをそれぞれ押圧するロッド３１ａ、３２ａが突設されている。
【００３４】
嵌合部３１の下方には回収パイプ３３（図１参照）に嵌合する突設部３３が突設される。突設部３３には嵌合部３１と回収パイプ３３とを連通させる連通路３０ａが形成される。嵌合部３２の底面には大気に開放される開放通路３０ｂが形成される。
【００３５】
図４はタンク側接続部２０と本体側接続部３０と接続した状態を示す正面断面図である。また、図５は図４のＢ−Ｂ断面図を示している。給水タンク１０を本体部２に装着すると、タンク側接続部２０の突出部２５、２６はそれぞれ本体側接続部３０の嵌合部３１、３２と嵌合する。突出部２５、２６と嵌合部３１、３２との隙間はパッキン２８により塞がれる。
【００３６】
第１、第２開閉弁２１、２２は先端部２１ａ、２２ａがロッド３１ａ、３２ａに押圧され、圧縮バネ２３、２４の付勢力に抗して上昇する。これにより、第１、第２開閉弁２１、２２が開かれる。その結果、タンク側接続部２０の第１通路２０ａは連通路３０ａを介して回収パイプ３３に連通する。タンク側接続部２０の第２通路２０ｂは開放通路３０ｂを介して大気に開放される。
【００３７】
上記構成の加湿装置１において、本体部２から脱着した給水タンク１０の給水部１１に水が給水され、給水タンク１０が本体部２に装着される。給水タンク１０の止水弁１０ｃはリブ５ａに押圧され、トレイ５内に水位Ｗ０まで給水が行われる。トレイ５に浸漬される加湿フィルタ７には水が含浸される。
【００３８】
送風機８の駆動によって吸込口３から吸い込まれた空気が加湿フィルタ７を通過して吹出口４から送出される。この時、加湿フィルタ７に含浸された水が気化して吹出口４から送出される空気に含まれる。これにより、室内の加湿が行われる。
【００３９】
加湿フィルタ７に含浸された水の気化によってトレイ５の水位が下がると止水弁１０ｃが開いて給水部１１から水位Ｗ０までトレイ５に給水される。従って、給水部１１からトレイ５への給水が繰り返し行われる。
【００４０】
給水部１１が空になると止水弁１０ｃを開いてもトレイ５に給水されないためトレイ５の水位が継続して低下する。トレイ５が水位Ｗ１になったことを水位センサ９により検知すると、排水部水位検知部３６により排水部１２の水位が検知される。排水部１２の水位が所定の水位よりも低いと回収装置３１のポンプ３２が駆動される。
【００４１】
これにより、トレイ５内の水が給水タンク１０の排水部１２に回収される。この時、排水部１２は第２通路２０ｂ及び開放通路３０ｂを介して大気に開放されるため、排水部１２内の空気が流出して容易に排水部１２に貯水することができる。
【００４２】
排水部１２が所定の水位よりも高い場合は排水部１２に水が流入できないためポンプ３２を駆動すると過負荷となり故障の原因となる。このため、排水部１２の水位が所定の水位よりも高い場合は回収装置３１の駆動を禁止して報知される。これにより、使用者に排水部１２の排水が促される。また、報知後に送風機８を停止して加湿装置１の運転を停止してもよい。
【００４３】
給水タンク１０の給水部１１に供給される水にはカルシウム、マグネシウム等の硬度成分やカリウム、ナトリウム等が含まれている。これらの不純物は加湿フィルタ７で水を気化した際に残渣として残留し、気化される前の水に溶解する。このため、トレイ５内の水は不純物の濃度が徐々に高くなる。給水部１１が満水から空になると、それまでの間に不純物の濃度が高くなったトレイ５内の水が排水部１２に回収される。
【００４４】
ポンプ３２を所定時間駆動してトレイ５内の水が排水部１２に回収されると送風機８が停止され、給水タンク１０の給水部１１内に水が無いことが報知される。これにより、使用者は給水タンク１０を本体部２から脱着し、給水キャップ１０ａを外して給水部１１内に給水する。また、排水キャップ１０ｂを外して排水部１２内の水を排水することができる。
【００４５】
本実施形態によると、トレイ５内の水を排水部に回収する回収装置３１を備えたので、排水用の配管の必要がなく不純物の濃度が高くなった水を回収することができる。これにより、トレイ５や加湿フィルタ７に残留する不純物を低減してスケールの析出を低減し、加湿フィルタ７の交換周期を長くすることができる。従って、加湿装置１の利便性を向上することができる。
【００４６】
また、トレイ５が所定の水位Ｗ１よりも低くなった際に回収装置３１を駆動するので、給水部１１が空になる毎に不純物の濃度が高い水を回収することができる。従って、スケールの析出を確実に低減することができる。また、給水部１１が空になった給水タンク１０は脱着して給水されるため、この時に排水部１２の排水を行うことができる。従って、排水のために給水タンク１１を別途運搬する必要がなく、加湿装置１の利便性をより向上することができる。
【００４７】
また、排水部１２は給水部１１が空になってトレイ５に溜まった分の水だけを回収すればよい。このため、排水部１２の容積が小さくても不純物の濃度が高くなった水を確実に回収することができる。これにより、給水部１１の容積を排水部１２の容積よりも大きくし、給水タンク１０への給水頻度を減らすことができるため加湿装置１の利便性をより向上することができる。
【００４８】
本実施形態において、リブ５ａを伸縮等によって止水弁１０ｃから退避可能に形成し、加湿装置１を停止する際にリブ５ａの退避により止水弁１０ｃを閉じて回収装置３１を駆動してもよい。これにより、加湿装置１を長期間使用しない場合にトレイ５内の水が蒸発することによるスケールの析出を防止することができる。
【産業上の利用可能性】
【００４９】
本発明によると、加湿フィルタに含浸した水を気化して送出する気化式の加湿装置に利用することができる。
【図面の簡単な説明】
【００５０】
【図１】本発明の実施形態の加湿装置を示す側面断面図
【図２】本発明の実施形態の加湿装置のタンク側接続部及び本体部側接続部を示す正面断面図
【図３】図２のＡ−Ａ断面図
【図４】本発明の実施形態の加湿装置のタンク側接続部と本体部側接続部とを接続した状態を示す正面断面図
【図５】図４のＢ−Ｂ断面図
【図６】従来の加湿装置を示す側面断面図
【符号の説明】
【００５１】
１    加湿装置
２    本体部
３    吸込口
４    吹出口
５    トレイ
７    加湿フィルタ
８    送風機
９    水位センサ
１０    給水タンク
１１    給水部
１２    排水部
１３    隔壁
２０    タンク側接続部
２１、２２  第１、第２開閉弁
３０    本体部側接続部
３１    回収装置
３２    回収パイプ
３３    ポンプ
３４    フロート
３５    スイッチ
３６    排水部水位検知部
【図１】
2008286492.tif 000003
【図２】
2008286492.tif 000004
【図３】
2008286492.tif 000005
【図４】
2008286492.tif 000006
【図５】
2008286492.tif 000007
【図６】
2008286492.tif 000008